(57)【要約】【課題】  携帯型子機或いは携帯型親機が非携行状態にある場合は、それを検知して報知動作することで放置され続けるのを防ぐ。【解決手段】  ナースコール子機が、ナースコール親機と無線通信する無線送受信部１８を備えた携帯型子機２であって、看護師を呼び出すための呼出ボタン１４と、通話するためのマイク１１及びスピーカ１２と、携行／非携行を検知するための温度センサ２３ａ、人体の接触を検知するタッチセンサ２４ａ、周囲の変化を検知するモーションセンサ２５ａ、自身の移動を検知する揺れセンサ２６ａを備え状態検知部２２とを備え、これらのセンサ信号を基に出力される放置信号が所定時間継続して出力されたら携帯型子機ＣＰＵ１７の制御により携帯型子機２が非携行状態にあると判断し、スピーカ１２から警告音が発報される。【選択図】  図２
2008187471.tif 000002
【特許請求の範囲】
【請求項１】
患者が看護師を呼び出すためのナースコール子機と、呼び出しに応答するためのナースコール親機と、前記ナースコール子機とナースコール親機との間の通信を制御する制御機とを備えたナースコールシステムにおいて、
前記ナースコール子機がナースコール親機に対する呼出信号を無線送信する無線送信部を備えた携帯型子機であって、前記制御機は前記携帯型子機と通信するためのナースコール基地局が接続されてなり、
前記携帯型子機は、携行／非携行を検知するための状態検知部と、前記状態検知部が携行されていないとする信号を所定時間継続して出力したら非携行状態にあると判断する携行判断手段と、非携行状態を警告音により報知させる報知手段とを有することを特徴とするナースコールシステム。
【請求項２】
患者が看護師を呼び出すためのナースコール子機と、呼び出しに応答するためのナースコール親機と、前記ナースコール子機とナースコール親機との間の通信を制御する制御機とを備えたナースコールシステムにおいて、
前記ナースコール子機がナースコール親機に対する呼出信号を無線送信する無線送信部を備えた携帯型子機であって、前記制御機は前記携帯型子機と通信するためのナースコール基地局が接続されてなり、
前記携帯型子機は、携行／非携行を検知するための状態検知部と、前記状態検知部が携行されていないとする信号を所定時間継続して出力したら非携行状態にあると判断して前記無線送信部から子機非携行信号を発信する携行判断手段とを有する一方、前記ナースコール親機は前記子機非携行信号を受けて報知動作する報知手段を有することを特徴とするナースコールシステム。
【請求項３】
ベッド毎に設置された有線式のナースコール子機と、病室毎に設置されて前記有線式のナースコール子機からの呼び出しを報知すると共に呼出信号を前記制御機に送信する廊下灯とを備え、前記ナースコール基地局を前記廊下灯毎に設置する一方、前記制御機、ナースコール親機の何れかに受信した前記子機非携行信号に含まれるナースコール基地局ＩＤ情報を基に携帯型子機の発信場所を廊下灯単位で特定する場所特定手段を備え、
前記ナースコール基地局が受信した子機非携行信号は、前記廊下灯を介して前記制御機に伝送され、前記ナースコール親機は、前記場所特定手段により特定された発信場所情報を表示する表示手段を有することを特徴とする請求項２記載のナースコールシステム。
【請求項４】
患者が看護師を呼び出すためのナースコール子機と、呼び出しに応答するためのナースコール親機と、個々の看護師が携行して患者からの呼び出しに無線で応答するための携帯型親機と、前記携帯型親機と通信するための親機用基地局及び交換機と、前記ナースコール子機と前記ナースコール親機或いは前記携帯型親機との間の通信を制御する制御機とを備えたナースコールシステムにおいて、
前記携帯型親機は、携行／非携行を検知するための状態検知部と、前記状態検知部が携行されていないとする信号を所定時間継続して出力したら、前記携行判断手段が非携行状態にあると判断する携行判断手段と、非携行状態を警告音により報知させる報知手段とを有することを特徴とするナースコールシステム。
【請求項５】
患者が看護師を呼び出すためのナースコール子機と、呼び出しに応答するためのナースコール親機と、個々の看護師が携行して患者からの呼び出しに無線で応答するための携帯型親機と、前記携帯型親機と通信するための親機用基地局及び交換機と、前記ナースコール子機と前記ナースコール親機或いは前記携帯型親機との間の通信を制御する制御機とを備えたナースコールシステムにおいて、
前記携帯型親機は、携行／非携行を検知するための状態検知部と、携行／非携行を判断する携行判断手段とを有して、前記状態検知部が携行されていないとする信号を所定時間継続して出力したら、前記携行判断手段が非携行状態にあると判断して前記無線送信部から親機非携行信号を発信し、前記ナースコール親機は前記親機非携行信号を受けて報知動作する報知手段を有することを特徴とするナースコールシステム。
【請求項６】
前記ナースコール子機の呼び出しに対して呼び出しを通知する携帯型親機を関連付けた呼出テーブルを記憶した呼出テーブル記憶部と、前記ナースコール子機から呼び出しが成されたら前記呼出テーブルを参照して携帯型親機を呼び出す呼出制御手段とを備え、
前記呼出制御手段は、前記呼出テーブルにおいて呼出操作が成された前記ナースコール子機に関連付けられている携帯型親機が非携行状態にある場合は、並行して或いは関連付けられている携帯型親機の呼び出しをせずに関連付けられていない他の携帯型親機に呼び出しを通知することを特徴とする請求項５記載のナースコールシステム。
【発明の詳細な説明】
【技術分野】
【０００１】
本発明はナースコールシステムに関し、詳しくは患者が携行する無線式のナースコール子機、或いは看護師が携行する無線式のナースコール親機を備えたナースコールシステムに関する。
【背景技術】
【０００２】
従来のナースコールシステムは、ナースコール子機がベッド配置に合わせて壁面に固定設置されていたため、ベッドの移動ができず病室のレイアウトの変更が難しかった。また、患者は自身のベッド近くにいない時は看護師を簡易な操作で呼び出すことができず、近くにある他人のベッドのナースコール子機を操作すると、看護師はナースコール子機に関連付けられている他の患者からの呼び出しと判断してしまうため、操作できなかった。
そのため、特許文献１に開示されているような携行可能な無線式のナースコール子機（携帯型子機）を本出願人は発明した。このように無線式にすることで、病室のレイアウト変更も容易に実施できるし、患者がベッド近くに居なくても看護師を容易に呼び出すことが可能となった。
一方で、ナースコール親機においても、ＰＨＳ型のハンディナース（携帯型親機）が普及し、個々の看護師が携帯型親機を携行することで、ナースステーションに居なくても患者からの呼び出しに遅滞なく応答することを可能としている。
【０００３】
【特許文献１】特開２００２−００９９５７号公報
【発明の開示】
【発明が解決しようとする課題】
【０００４】
しかし、上記従来の携帯型子機は、携行可能とすることで放置されたり紛失してしまう場合が発生し、その場合放置されているのに気づくまで、或いは発見するまで時間が掛かり無駄な時間が発生してしまい、看護業務に支障をきたす問題があった。
また、携帯型親機の場合も同様に、放置されたり紛失してしまう場合が発生し、放置された場合は患者からの呼び出しに速やかに対応できなくなるし、発見するまで不必要な時間を要してしまう問題があった。
【０００５】
そこで、本発明はこのような問題点に鑑み、携帯型子機或いは携帯型親機が非携行状態にある場合は、それを検知して報知動作することで放置され続けるのを防ぎ、看護業務に支障をきたさないようにしたナースコールシステムを提供することを目的とする。
【課題を解決するための手段】
【０００６】
上記課題を解決する為に、請求項１に記載の発明は、患者が看護師を呼び出すためのナースコール子機と、呼び出しに応答するためのナースコール親機と、ナースコール子機とナースコール親機との間の通信を制御する制御機とを備えたナースコールシステムにおいて、ナースコール子機がナースコール親機に対する呼出信号を無線送信する無線送信部を備えた携帯型子機であって、制御機は携帯型子機と通信するためのナースコール基地局が接続されてなり、携帯型子機は、携行／非携行を検知するための状態検知部と、状態検知部が携行されていないとする信号を所定時間継続して出力したら非携行状態にあると判断する携行判断手段と、非携行状態を警告音により報知させる報知手段とを有することを特徴とする。
この構成により、携帯型子機を個々の患者に携行させても、携帯型子機が放置されて非携行状態にある場合、状態検知部がそれを検知して自身が警告音を発するので、非携行状態にあることを患者や看護師が認識でき、放置され続けるのを防ぐことができるし、無くした場合に発見し易い。
【０００７】
請求項２の発明は、患者が看護師を呼び出すためのナースコール子機と、呼び出しに応答するためのナースコール親機と、ナースコール子機とナースコール親機との間の通信を制御する制御機とを備えたナースコールシステムにおいて、ナースコール子機がナースコール親機に対する呼出信号を無線送信する無線送信部を備えた携帯型子機であって、制御機は携帯型子機と通信するためのナースコール基地局が接続されてなり、携帯型子機は、携行／非携行を検知するための状態検知部と、状態検知部が携行されていないとする信号を所定時間継続して出力したら非携行状態にあると判断して無線送信部から子機非携行信号を発信する携行判断手段とを有する一方、ナースコール親機は子機非携行信号を受けて報知動作する報知手段を有することを特徴とする。
この構成により、携帯型子機を個々の患者に携行させても、携帯型子機が放置されて非携行状態にある場合、状態検知部がそれを検知してナースステーションにおいて報知するので、携帯型子機が非携行状態にあることを看護師が認識でき、放置され続けるのを防ぐことができる。
【０００８】
請求項３の発明は、請求項２に記載の発明において、ベッド毎に設置された有線式のナースコール子機と、病室毎に設置されて有線式のナースコール子機からの呼び出しを報知すると共に呼出信号を制御機に送信する廊下灯とを備え、ナースコール基地局を廊下灯毎に設置する一方、制御機、ナースコール親機の何れかに受信した子機非携行信号に含まれるナースコール基地局ＩＤ情報を基に携帯型子機の発信場所を廊下灯単位で特定する場所特定手段を備え、ナースコール基地局が受信した子機非携行信号は、廊下灯を介して制御機に伝送され、ナースコール親機は、場所特定手段により特定された発信場所情報を表示する表示手段を有することを特徴とする。
この構成により、携帯型子機が放置されたらナースコール親機が場所情報も合わせて報知するので、放置された携帯型子機の場所をある程度特定でき、探しやすい。
【０００９】
請求項４の発明は、患者が看護師を呼び出すためのナースコール子機と、呼び出しに応答するためのナースコール親機と、個々の看護師が携行して患者からの呼び出しに無線で応答するための携帯型親機と、携帯型親機と通信するための親機用基地局及び交換機と、ナースコール子機とナースコール親機或いは携帯型親機との間の通信を制御する制御機とを備えたナースコールシステムであって、携帯型親機は、携行／非携行を検知するための状態検知部と、状態検知部が携行されていないとする信号を所定時間継続して出力したら、携行判断手段が非携行状態にあると判断する携行判断手段と、非携行状態を警告音により報知させる報知手段とを有することを特徴とする。
この構成により、携帯型親機が放置されて非携行状態にある場合、状態検知部がそれを検知して自身が警告音を発するので、非携行状態にあることを看護師等が認識でき、放置され続けるのを防ぐことができるし、無くした場合に発見し易い。
【００１０】
請求項５の発明は、患者が看護師を呼び出すためのナースコール子機と、呼び出しに応答するためのナースコール親機と、個々の看護師が携行して患者からの呼び出しに無線で応答するための携帯型親機と、携帯型親機と通信するための親機用基地局及び交換機と、ナースコール子機とナースコール親機或いは携帯型親機との間の通信を制御する制御機とを備えたナースコールシステムであって、携帯型親機は、携行／非携行を検知するための状態検知部と、携行／非携行を判断する携行判断手段とを有して、状態検知部が携行されていないとする信号を所定時間継続して出力したら、携行判断手段が非携行状態にあると判断して無線送信部から親機非携行信号を発信し、ナースコール親機は親機非携行信号を受けて報知動作する報知手段を有することを特徴とする。
この構成により、携帯型親機が放置されて非携行状態にある場合、状態検知部がそれを検知してナーステーションにおいてそれを報知するので、非携行状態にあることを看護師が認識でき、放置され続けるのを防ぐことができる。
【００１１】
請求項６の発明は、請求項５に記載の発明において、ナースコール子機の呼び出しに対して呼び出しを通知する携帯型親機を関連付けた呼出テーブルを記憶した呼出テーブル記憶部と、ナースコール子機から呼び出しが成されたら呼出テーブルを参照して携帯型親機を呼び出す呼出制御手段とを備え、呼出制御手段は、呼出テーブルにおいて呼出操作が成されたナースコール子機に関連付けられている携帯型親機が非携行状態にある場合は、並行して或いは関連付けられている携帯型親機の呼び出しをせずに関連付けられていない他の携帯型親機に呼び出しを通知することを特徴とする。
この構成により、放置されている携帯型親機が呼出操作した患者の担当看護師が携行するはずのものである場合は、他の携帯型親機に呼び出しを通知、或いは放置された携帯型親機と合わせて他の携帯型親機にも同時に呼び出しを通知するので遅滞なく患者からの呼び出しに対応することができる。
【発明の効果】
【００１２】
本発明によれば、携帯型子機や携帯型親機が放置されて非携行状態にある場合、状態検知部がそれを検知して自身が警告音によりそれを報知したりナースコール親機において報知するので、非携行状態にあることを看護師等が認識でき、放置され続けるのを防ぐことができるし、無くした場合に発見し易い。
【発明を実施するための最良の形態】
【００１３】
以下、本発明を具体化した実施の形態を、図面に基づいて詳細に説明する。図１は本発明に係るナースコールシステムの一例を示す構成図であり、１は患者が看護師を呼び出すための呼出ボタン１ａを備えてベッド毎に設置された有線式のナースコール子機、２は患者が携行して看護師を呼び出すための携帯型ナースコール子機（以下、携帯型子機とする）、３は病室毎の廊下に設置されてナースコール子機１からの呼び出しを表示する廊下灯、４はナースステーションに設置されて患者からの呼び出しを報知して応答するためのナースコール親機、５は看護師個々が携行して患者からの呼び出しを通知して応答する為のハンディナース（以下、携帯型親機とする）、６は各機器間の通信を制御する制御機、７は携帯型子機２と通信する為のナースコール基地局、８は携帯型親機と通信する為の親機用基地局、９は携帯型親機５と制御機６の間の通信を管理する交換機である。
【００１４】
廊下灯３、ナースコール親機４、交換機９は夫々信号線Ｌ１，Ｌ２，Ｌ３により制御機６に接続され、ナースコール子機１は病室毎に信号線Ｌ４により廊下灯３に接続されている。また、ナースコール基地局７は廊下灯３毎に設置され、廊下灯３と制御機６の間の信号線Ｌ１はナースコール信号と携帯型子機２との通信信号が伝送される。
【００１５】
携帯型子機２は腕時計のように腕に装着するよう構成され、図２の回路ブロック図に示すような回路構成となっている。この図２に示すように、通話するためのマイク１１及びスピーカ１２、音声信号を制御する音響部１３、呼び出しを行うための呼出ボタン１４、時間をカウントするためのタイマ１５、警告音を生成する警告音発生部１６、各回路を制御する携帯型子機ＣＰＵ１７、ナースコール基地局７と通信するアンテナ１８を具備した無線送受信部１９を備えている。
【００１６】
そして、携行／非携行を検知するための状態検知部２２として次の回路が組み込まれている。周囲の温度（携行者の体温）を検知するための温度センサ２３ａとその検知温度が基準範囲から外れたら放置されたとする放置信号を出力する温度判定部２３ｂ、携行者との接触を判断するタッチセンサ２４ａと接触状態に無ければ放置信号を出力する接触判定部２４ｂ、周囲の動きを検出するモーションセンサ２５ａと動きを検知しない時に放置信号を出力する動き判定部２５ｂ、更に自身の移動（揺れ）を検出する揺れセンサ２６ａと揺れを検出しない時に放置信号を出力する揺れ判定部２６ｂを備えている。
携帯型子機ＣＰＵ（携行判断手段）１７は、これらの複数のセンサ及び判定部から成る状態検知部２２の判定信号を基に携行／非携行を判断する。
【００１７】
尚、タッチセンサ２４ａは静電容量の変化を検出する電極及び検出回路を備える公知のタッチセンサ回路が使用できるし、モーションセンサ２５ａは超音波や焦電効果により周囲の変化（自身の移動）を検知する公知のセンサが使用できる。また、揺れセンサ２６ａは加速度センサが使用できる。
【００１８】
一方、携帯型親機５はＰＨＳ型の携帯電話機を基本構成としており、図３に示すような回路構成となっている。図３に示すように通話するためのマイク２８及びスピーカ２９、音声信号を制御する音響部３０、呼び出しや応答操作を行うためにテンキー等を備えた操作部３１、時間をカウントするためのタイマ３２、警告音を生成する警告音発生部３３、各回路を制御する携帯型親機ＣＰＵ３４、親機用基地局８と通信するアンテナ３５を具備した無線送受信部３６を備えている。
【００１９】
そして、携行／非携行を検知するための状態検知部３８として次の回路が組み込まれている。周囲の温度（携行者の体温）を検知するための温度センサ３９ａとその検知温度が基準範囲から外れたら放置されたとする報知信号を出力する温度判定部３９ｂ、周囲の動きを検出するモーションセンサ４０ａと動きを検知できない時に放置信号を出力する動き判定部４０ｂ、更に自身の移動（揺れ）を検出する揺れセンサ４１ａと揺れを検出しない時に放置信号を出力する揺れ判定部４１ｂを備えている。
携帯型親機ＣＰＵ（携行判断手段）３４は、これら複数のセンサ及び判定部から成る状態検知部３８の判定信号を基に携行／非携行を判断する。
【００２０】
また、制御機６には、ナースコール子機１或いは携帯型子機２から呼び出しがなされた場合に、呼び出しを通知する携帯型親機５を選択するための呼出テーブルを記憶した呼出テーブル記憶部（図示せず）が備えられている。図４はこの呼出テーブルの一部を示し、患者から呼び出しが成されるとナースコール親機４において呼び出しが通知されると同時に、この呼出テーブルに従って何れかの携帯型親機５に呼び出しを通知する。
【００２１】
図４を具体的に説明すると、１０１号室の第１ベッドに設置されたナースコール子機１或いはその患者に対応した携帯型子機２から呼び出しが成されたら、最初にその患者の担当看護師が携行する携帯型親機（第１ハンディナース）５に呼び出しが通知される。この通知に対して所定時間内に応答が無ければ、優先順位２番目の携帯型親機（第２ハンディナース）５に呼び出しが通知される。この場合も応答が無ければ優先順位３番目の携帯型親機（第３ハンディナース）５に呼び出しが通知されることを示している。
こうして呼び出しを受けた看護師が携帯型親機５を応答操作することで、患者と通話することができるし、ナースステーションに設置されたナースコール親機４において応答操作された場合は、ナースコール親機４により患者と通話することができる。
【００２２】
尚、有線式のナースコール子機１は図１に示すように１ａが呼出ボタンであり、マイク部１ｂ及びスピーカ部１ｃを有し、呼出通知を受けた看護師と通話が可能となっている。また、ナースコール親機４は、図１に示すようにナースコール子機１や携帯型子機２からの呼び出しを報知するためのスピーカ４３、呼び出しを表示するＬＣＤ（液晶表示部）４４、通話する為のハンドセット４５を備えている。
【００２３】
次に、携帯型子機２の携行／非携行の判定及び非携行時のシステム動作を説明する。まず携帯型子機２が携行されている場合、温度センサ２３ａは所定範囲の温度を示すので温度判定部２３ｂから放置信号は出力されない。また、携帯型子機２が人体に接触して装着された場合、或いは把持等されている場合は、タッチセンサ２４ａはタッチ状態を検出するので接触判定部２４ｂは放置信号を出力しない。更に、モーションセンサ２５ａは携行者（患者）が動くことで周囲の変化を検知するので、動き判定部２５ｂは放置信号を出力しないし、揺れセンサ２６ａは装着している患者の動きにより加速度等を検知するので揺れ判定部２６ｂは放置信号を出力しない。
このような状態検知部２２の動作に対して、携帯型子機ＣＰＵ１７は、４つの判定部２３ｂ，２４ｂ，２５ｂ，２６ｂの少なくとも１つが放置信号を出していなければ携行されていると判断する。
【００２４】
しかし、携帯型子機２が取り外されて放置されると、温度センサ２３ｂで体温を検出できなくなるため、設定温度範囲を外れて温度判定部２３ｂは放置信号を出力するし、タッチセンサ２４ａでは人体との接触を検出できなくなるため、接触判定部２４ｂから放置信号が出力される。更に、モーションセンサ２５ａおよび揺れセンサ２６ｂにおいても動きを検知しなくなるため、動き判定部２５ｂ及び揺れ判定部２６ｂから放置信号が出力され、４つの判定部２３ｂ，２４ｂ，２５ｂ，２６ｂが放置信号を出力する。
【００２５】
携帯型子機ＣＰＵ１７は、これらの４つの放置信号が同時に出力されたのを受けてタイマ１５によるカウントを開始させる。そして、タイマ１５が一定時間カウントしている間、これら４つの放置信号が継続して出力され続けたら放置されたと判断、即ち非携行状態にあると判断して子機非携行信号を警告音発生部１６と無線送受信部１９へ送信する。この子機非携行信号を受けて、警告音発生部１６は警告音をスピーカ１２から出力させ、無線送受信部１９はアンテナ１８から子機非携行信号を発信する。そして、この発信信号は近くのナースコール基地局７で受信され、廊下灯３を介して制御機６に送信される。
但し、タイマ１５がカウント中に４つの判定部２３ｂ，２４ｂ，２５ｂ，２６ｂのうちどれか一つでも放置信号の出力を停止したら、携帯型子機ＣＰＵ１７はタイマ１５のカウントを中止する。
【００２６】
こうして子機非携行信号を受信した制御機６は、ナースコール親機４に対してスピーカ４３から警告音を報音させると同時に、子機非携行信号に含まれる携帯型子機ＩＤ情報を基にＬＣＤ４４にて放置された携帯型子機のＩＤ情報等を表示させる制御を行う。
更に、ナースコール基地局７から制御機６に送信される子機非携行信号にはナースコール基地局７のＩＤ情報が含まれるため、制御機６はそのＩＤ情報を基に送信元の携帯型子機２の発信場所情報を廊下灯単位でＬＣＤ４４に表示させる。
尚、制御機６には、ナースコール基地局７と廊下灯３を関連付けた場所情報記憶部を備えている。また、子機非携行信号を受信した制御機６は、交換機９、親機用基地局８を経由して携帯型親機５に子機非携行信号を送信し、携帯型親機５でも携帯型子機２が放置されたことを認識できるようにしても良い。
【００２７】
そして、携帯型子機２が非携行状態にあり、発報動作中に発見されて再び患者に装着されると、次のように動作する。身につけることで温度センサ２３ａが体温を検出して温度判定部２３ｂからの放置信号は停止するし、腕に装着されればタッチセンサ２４ａが人体との接触を検出して接触判定部２４ｂからの放置信号が停止する。また、腕に装着されなくても携行されることでモーションセンサ２５ａが周囲の状況の変化を検知して動き判定部２５ｂが放置信号を停止するし、揺れセンサ２６ａも自身が移動するのを検知するため揺れ判定部２６ｂの放置信号は停止する。
【００２８】
携帯型子機ＣＰＵ１７は、これら４つの放置信号のうち少なくとも一つが無くなった場合に携帯型子機２が再び装着され携行状態にあると判断し、警告音の発報を停止させるとともに、無線送受信部１９から子機復旧信号を出力する。
この子機復旧信号は近くのナースコール基地局７で受信されて、廊下灯３を介して制御機６に送信される。制御機６は子機復旧信号を受けてナースコール親機４の呼出音を停止させるとともに、ＬＣＤ４４の表示を停止させる。
尚、子機非携行信号を携帯型親機５に送信した場合は、子機復旧信号も携帯型親機５へ送信して報知動作を終了させれば良い。
【００２９】
このように、携帯型子機を個々の患者に携行させても、携帯型子機が放置されたり紛失して非携行状態にある場合は、自身が警告音を発して報知するので、放置され続けるのを防ぐことができるし、紛失した場合は発見し易い。
また、ナースコール親機でも放置されている携帯型子機がある場合にそれを報知するので、看護師がそれを認識でき、放置され続けるのを防ぐことができるし、無くした場合に発見し易い。
更に、ナースコール基地局を廊下灯毎に設けることで、放置された携帯型子機の場所を廊下灯単位の範囲で特定できるので、見つけやすい。
【００３０】
尚、ここでは４つのセンサ（４種類のセンサ）２３ａ，２４ａ，２５ａ，２６ａを用いて携帯型子機２の放置を判断させているが、１つセンサ、例えば揺れセンサ２６ａのみで放置を検知して判断させても良いし、２種類或いは３種類のセンサにより放置を判定しても良い。また、放置された携帯型子機２が再び携行されたと判断する場合も１つのセンサ信号だけでなく２つ以上のセンサが検知して放置信号が停止したら携行状態にあると判断させても良い。
更に、携帯型子機２を腕に装着する構成としているが、携帯型親機５と同様にハンディータイプとしても良いし、ネックレスのように首から垂下する構成としても良い。
【００３１】
次に、携帯型親機５の携行／非携行の判定及び非携行時のシステム動作を説明する。携帯型親機５が携行されている場合、携帯型子機２の場合と同様に温度センサ３９ａは所定範囲の温度を示すので温度判定部３９ｂから放置信号は出力されない。また、モーションセンサ４０ａは周囲の変化を検知することで動き判定部４０ｂは放置信号を出さないし、揺れセンサ４１ａは携行している看護師の動きにより加速度等を検知するので揺れ判定部４１ｂは放置信号を出さない。
このような状態検知部３８の動作に対して、携帯型親機ＣＰＵ３４は、３つの判定部３９ｂ，４０ｂ，４１ｂの少なくとも１つが放置信号を出していなければ携行状態にあると判断する。
【００３２】
しかし、携帯型親機５が放置されると、温度センサ３９ａで体温を検出できなくなるため、設定温度範囲から外れて温度判定部３９ｂから放置信号が出力される。また、モーションセンサ４０ａおよび揺れセンサ４１ａにおいても動きを検知しなくなるため、動き判定部４０ｂおよび揺れ判定部４１ｂから放置信号が出力され、全ての判定部３９ｂ，４０ｂ，４１ｂが放置信号を出力する。
【００３３】
携帯型親機ＣＰＵ３４は、これらの３つの放置信号が同時に出力されたのを受けてタイマ３２のカウントを開始させる。そして、タイマ３２が一定時間カウントしている間、これら３つの放置信号が継続して出力され続けたら放置されたと判断、即ち非携行状態にあると判断して親機非携行信号を警告音発生部３３と無線送受信部３６へ送信する。この親機非携行信号を受けて、警告音発生部３３が起動してスピーカ２９から警告音が出力されると共に、無線送受信部３６はアンテナ３５から親機非携行信号を発信する。この発信信号は近くの親機用基地局８で受信され、親機用交換機９を介して制御機６へ送信される。
但し、タイマ３２のカウントが終了する前に３つの判定部３９ｂ，４０ｂ，４１ｂのうちどれか１つでも放置信号の出力を停止したら、携帯型親機ＣＰＵ３４はタイマ３２のカウント動作を停止させる。
【００３４】
こうして親機放置信号を受信した制御機６は、ナースコール親機４に対してスピーカ４３から警告音を報音させると同時に、親機放置信号に含まれる携帯型親機ＩＤ情報を基にＬＣＤ４４にて放置された携帯型親機のＩＤ情報等を表示させる制御を行う。
【００３５】
そして、非携行状態にある携帯型親機５が発見されて再び看護師に携行されると、次のように動作する。身につけることで温度センサ３９ａが体温を検出することで温度判定部３９ｂの放置信号は停止するし、モーションセンサ４０ａおよび揺れセンサ４１ａにおいても動きを検出することで、動き判定部４０ｂおよび揺れ判定部４１ｂからの放置信号は停止する。
携帯型親機ＣＰＵ３４は、これら３つの放置信号のうち少なくとも一つが無くなった場合に携帯型親機５が再び携行されたと判断し、スピーカ２９からの警告音の発報を停止させると共に、無線送受信部３６から親機復旧信号を出力する。この親機復旧信号は近くの親機用基地局８で受信され、交換機９を介して制御機６へ送信される。制御機６は、親機復旧信号を受けてナースコール親機４の報知動作を終了させる。
【００３６】
このように、携帯型親機が携行されずに放置されたらそれを検知して自身が警告音を発するので、放置され続けるのを防ぐのに有効であるし、紛失した場合に発見し易い。
また、ナースコール親機においても報知動作するので、看護師が認識でき放置され続けるのを防ぐことができるし、紛失した場合に発見し易い。
【００３７】
次に、呼び出しを通知すべき携帯型親機５が非携行状態にある場合の呼出動作を説明する。通常、放置された携帯型親機５がない場合はナースコール子機１或いは携帯型子機２からの呼び出し（以下、単に「子機１，２からの呼び出し」とする）は、図４に示したような呼び出しテーブルに従い優先順位１番の携帯型親機５から順に呼び出しが通知され、一定時間呼び出しに応答されない場合には優先順位２番の携帯型親機５というように順次呼び出しが転送されて携帯型親機５に子機１，２からの呼び出しが通知される。
【００３８】
しかし、例えば最初に呼出される携帯型親機５が放置されている場合に上記の動作をすると、子機１，２からの呼び出しに対して携帯型親機５で速やかに応答することができない。そこで、呼び出しを通知する携帯型親機５が放置されている場合には、携行されている他の携帯型親機５（優先順位２番目の携帯型親機５）に最初から呼び出しを通知する。尚、この場合放置されている携帯型親機５も同時に呼び出しを通知しても良い。
【００３９】
図４に基づいて具体的に説明すると、第１ハンディナース（携帯型親機５）が放置されている時に、関連する子機１，２から呼び出しが成された（第１ハンディナースを携行する看護師が担当する患者から呼び出しが成された）ら、優先順位２番目の第２ハンディナース（携帯型親機５）の呼び出しからスタートし、第１ハンディナースには呼び出しを通知しない。この制御は、制御機６がナースコール親機４に対して子機呼出信号（子機からの呼び出し）を伝えるとともに、子機呼出信号を伝える携帯型親機５を、呼び出しテーブルと放置された携帯型親機の一覧（図示せず）とを基に呼出通知先の選択が行われ、第２ハンディナースが選択される。
【００４０】
こうして、制御機６はナースコール親機４を呼出操作するとともに、交換機９、親機用基地局８を介して携帯型親機５である第２ハンディナースに子機呼出信号を送信する。こうして、制御機６により呼出操作を受けたナースコール親機４は、スピーカ４３、ＬＣＤ４４で子機呼出を報知するし、子機呼出信号を受信した携帯型親機５は、呼出音をスピーカ２９から報音させる。
【００４１】
このように、放置されている携帯型親機が呼出操作した患者の担当看護師が携行するはずのものである場合は、放置されている携帯型親機には呼び出しを通知せずに、或いは呼出を通知しても他の携帯型親機にも同時に呼び出しを通知するので遅滞なく患者からの呼び出しに対応することができる。
【００４２】
尚、上記実施形態は、ナースコール子機がベッド毎に設置された有線式のナースコール子機１と無線式の携帯型子機２の２種類で構成されているが、携帯型子機２のみとしても良い。また、呼出テーブル記憶部を制御機６に設けているがナースコール親機４に設けても良い。更に、制御機６を携帯型子機２の発信場所を特定する場所特定手段としているが、場所を特定するための場所情報記憶部、場所特定手段をナースコール親機に設けても良い。また、親機用基地局８もナースコール基地局７のように廊下灯３毎に、或いは同程度の距離間隔で設置すれば、携帯型子機２と同様の手順により放置された携帯型親機５の場所をある程度特定することができ、見つけやすくなる。
【図面の簡単な説明】
【００４３】
【図１】本発明に係るナースコールシステムの一例を示す構成図である。
【図２】携帯型子機の回路ブロック図である。
【図３】携帯型親機の回路ブロック図である。
【図４】呼び出しテーブルの一部を示す表図である。
【符号の説明】
【００４４】
１・・ナースコール子機、２・・携帯型子機、３・・廊下灯、４・・ナースコール親機、５・・携帯型親機、６・・制御機、７・・ナースコール基地局、８・・親機用基地局、１２・・スピーカ（報知手段）、１４・・呼出ボタン、１５・・タイマ、１６・・警告音発生部、１７・・携帯型子機ＣＰＵ（携行判断手段）、２２・・状態検知部、２９・・スピーカ（報知手段）、３２・・タイマ、３３・・警告音発生部、３４・・携帯型親機ＣＰＵ（携行判断手段）、３８・・状態検知部、４３・・スピーカ（報知手段）、４４・・ＬＣＤ（表示手段）。
【図１】
2008187471.tif 000003
【図２】
2008187471.tif 000004
【図３】
2008187471.tif 000005
【図４】
2008187471.tif 000006